(57)【要約】  マルチメディアのコンテンツを複数の様態にて描写するための方法と装置とが提供される。ユーザ入力されたリクエストにしたがって、複数の様態に対するパラメータの設定が決定される（ステップ206）。マルチメディアのコンテンツが、決定された様態のパラメータ設定にて描写される（ステップ208）。
2013510461.tif 000002
【特許請求の範囲】
【請求項１】
マルチメディアのコンテンツを複数の様態にて描写する方法であって、当該方法は、
−    ユーザ入力されたリクエストにしたがって前記複数の様態に対するパラメータの設定を決定するステップと、
−    前記マルチメディアのコンテンツを前記決定された様態のパラメータ設定にて描写するステップと、
を含む、方法。
【請求項２】
前記複数の様態がオーディオ、ビデオ、及び環境照明のうちの少なくとも一つを含むことを特徴とする、請求項１に記載の方法。
【請求項３】
前記複数の様態がオーディオ、ビデオ、及び環境照明のうちの少なくとも二つを含むことを特徴とする、請求項２に記載の方法。
【請求項４】
前記複数の様態がオーディオ、ビデオ、及び環境照明を含むことを特徴とする、請求項３に記載の方法。
【請求項５】
オーディオ用の前記パラメータ設定が、音量、テンポ、トレブル並びにバス、ステレオの拡がり、サラウンド、及びダイナミックレンジのうちの少なくとも一つを含むことを特徴とする、請求項１乃至３の何れか一項に記載の方法。
【請求項６】
ビデオ用の前記パラメータ設定が、コントラスト、飽和度、シャープさ、及び画面サイズのうちの少なくとも一つを含むことを特徴とする、請求項１乃至３の何れか一項に記載の方法。
【請求項７】
環境照明用のパラメータ設定が、光の色、光の強度、ダイナミックレンジ、飽和度、及び照明の変化の速度のうちの少なくとも一つを含むことを特徴とする、請求項１乃至３の何れか一項に記載の方法。
【請求項８】
前記方法が更に、前記ユーザ入力されたリクエストに対する範囲を提供するステップを含むことを特徴とする、請求項１に記載の方法。
【請求項９】
前記ユーザ入力されたリクエストが、熱中の度合いに対応することを特徴とする、請求項１に記載の方法。
【請求項１０】
前記ユーザ入力されたリクエストが、低い熱中の度合いに相当することを特徴とする、請求項９に記載の方法。
【請求項１１】
前記ユーザ入力されたリクエストが、高い熱中の度合いに相当することを特徴とする、請求項９に記載の方法。
【請求項１２】
請求項１乃至１１の何れか一項に記載の方法を実施するための複数のプログラムコード部分を有する、コンピュータ・プログラム。
【請求項１３】
マルチメディアのコンテンツを複数の様態にて描写する装置であって、当該装置は、
−    ユーザ入力されたリクエストにしたがって前記複数の様態に対するパラメータ設定を決定するためのプロセッサと、
−    前記マルチメディアのコンテンツを前記決定された様態のパラメータ設定にて描写するための描画デバイスと、
を新規に有する、装置。
【発明の詳細な説明】
【技術分野】
【０００１】
本発明はマルチメディアのコンテンツを複数の様態にて描写するための方法と装置とに関する。
【背景技術】
【０００２】
現代のマルチメディアのシステムは、リラックスした状況（例えばベッドルームでのTV）及び熱中している状況（例えばホームシアタ）の両方で使うことができる。リラックスした状況では、マルチメディア・システムのユーザは、例えば小音量のバス及びトレブルを有するモノラル音のオーディオと、低いコントラスト及び低い色飽和度を有するビデオと、遅い時間応答を有する環境照明と共にシステムがコンテンツを描写することを要求するであろう。熱中している状況では、マルチメディア・システムのユーザは、システムが例えば大音量のバス及びトレブルを有するサラウンド・サウンドのオーディオと、高いコントラスト及び高い色飽和度を有するビデオと、速い時間応答を有する環境照明と共にシステムが描写することを要求するであろう。
【０００３】
描写されたマルチメディアのコンテンツの視聴体験をユーザがどれくらいリラックスして、又は熱中して行いたいかに応じて、マルチメディア・システムのユーザはこれらの状況の変更も要求するかも知れない。また、好ましいシナリオが、昼間又は夜間など、時間と共に変化するかも知れない。例えばユーザが映画を見ている場合、ユーザは非常に熱中できる設定を要求しそうであり、一方、夜遅くには、ユーザは一層リラックスした設定を好むかも知れない。
【発明の開示】
【発明が解決しようとする課題】
【０００４】
既存のデバイスは、より熱中するモード又はよりリラックスするモードを作り出すために、ユーザが当該デバイスの設定を変更できるにもかかわらず、これらのデバイスは、あまりユーザフレンドリではない。所望のモードを作りだすために、既存のデバイスはユーザが多くのメニュー・オプション中を行ったり来たりすることを要求し、各々のデバイスの設定を個々に変更することを要求する。これはユーザにとって時間の浪費であり、各設定が、どのメニュー・オプションの下で見つかるかをユーザが直観的に知ることは困難である。
【０００５】
また、上記の態様にて多くの異なる設定を個々に変更することにより、ユーザが最適な設定又は標準の設定へと戻りたい場合、ユーザが同設定へとリセットするのが困難であるというリスクを作り出す。設定の各々をリセットするために、ユーザは多くのメニュー・オプションの中を戻ることを必要とし、設定をリセットするために何が最初の最適な設定又は標準の設定であったかを思い出すことも必要とする。多くの設定を変更することは、ユーザがむしろ全てのデバイスのスイッチを切りたいと望むくらいユーザを落胆させてしまう。
【課題を解決するための手段】
【０００６】
本発明は、マルチメデイアのコンテンツがどのように描写されるかを制御するためのユーザフレンドリな態様を提供する方法及び装置を提供することを目的とする。
【０００７】
本発明の第1の態様によれば、この目的は複数の様態にてマルチメデイアのコンテンツを描写するための方法により実現され、当該方法はユーザ入力されたリクエストにしたがって複数の様態に対するパラメータ設定を決定するステップと、マルチメディアのコンテンツを前記決定した様態のパラメータ設定にて描写するステップと、を含む。
【０００８】
本発明の第2の態様によれば、この目的は複数の様態にてマルチメデイアのコンテンツを描写するための装置によっても実現される。当該装置は、ユーザ入力されたリクエストにしたがって複数の様態に対するパラメータの設定を決定するためのプロセッサと、マルチメディアのコンテンツを前記決定した様態のパラメータ設定にて描写するための描写デバイスと、を新規に有する。
【０００９】
この態様にて、パラメータ設定を適応させるためにユーザが多くのメニュー・オプション中を行ったり来たりする必要がなくなる。対照的に、ユーザは一回のみの動作を用いて、複数の様態に対応するパラメータ設定を適応させることができる。これが、マルチメディアのコンテンツをどのように描写するかを制御する、迅速で容易な態様を提供する。これは、デバイスの最適な設定又は標準の設定へと一回の動作で戻ることができることを意味する。
【００１０】
ユーザが一回の動作を実行すると、ユーザ入力されたリクエストが生成される。
【００１１】
複数の様態には、オーディオ、ビデオ、及び環境照明のうちの少なくとも一つか、少なくとも二つか、又は三つ全てが含まれる。
【００１２】
オーディオ用のパラメータ設定には、音量、テンポ、トレブル並びにバス、ステレオの拡がり、サラウンド、及びダイナミックレンジのうちの少なくとも一つが含まれる。ビデオ用のパラメータ設定には、コントラスト、飽和度、シャープさ、及び画面サイズのうちの少なくとも一つが含まれる。環境照明用のパラメータ設定には、光の色、光の強度、ダイナミックレンジ、飽和度、及び照明の変化の速度のうちの少なくとも一つが含まれる。
【００１３】
ユーザ入力されたリクエストに対する設定範囲が提供される。ユーザ入力されたリクエストは熱中の度合いに対応し、低い熱中の度合い又は高い熱中の度合いに対応するか、又は両者の中間のレベルに対応する。
【００１４】
本発明をより良く理解し、且つどのように効果が表れるかをより明瞭に示すために、添付の図面が例の態様にて説明されよう。
【図面の簡単な説明】
【００１５】
【図１】マルチメディアのコンテンツを複数の様態にて描写するための本発明による装置の簡略化された概観図を示す。
【図２】マルチメディアのコンテンツを複数の様態にて描写するための本発明による方法のフロー図を示す。
【発明を実施するための形態】
【００１６】
図1を参照すると、装置100はユーザ入力されたリクエストを受信するための第1の入力端子102を有する。当該第1の入力端子102はプロセッサ104へと接続されている。マルチメディア記憶デバイス110が第2の入力端子112を介してプロセッサ104へと接続されている。当該マルチメディア記憶デバイス110は（例えば内部メモリとして）装置100と一体化されていてもよいし、又は（例えば遠隔メモリとして）装置100の外部にあってもよい。マルチメディア記憶デバイス110はマルチメディアのコンテンツをプロセッサ104へと提供する。マルチメディアのコンテンツは例えばTV放送のチャンネルでもよいし、インターネット放送、ラジオ放送、フィルム、音楽トラック、画像等でもよい。
【００１７】
プロセッサ104の出力が出力端子108を介して描写デバイス106を制御するコントローラ114へと接続される。描画デバイス106がマルチメディアのコンテンツを例えばTV、オーディオデバイス、PC等に出力する。描写デバイス106は装置100と一体化されていてもよいし、又は装置100の外部にあってもよい。
【００１８】
図2に示されているフロー図を引用して、ここで装置100の動作が説明されよう。
【００１９】
描写デバイス106がメニュー・オプションとして（例えば躍動的、映画、標準、ソフト等の）複数のモードをもつメニューを描写するよう、コントローラ114は出力端子108を介して描写デバイス106を制御する（ステップ202）。これらのモードは高い熱中の度合いから低い熱中の度合い、及び中間的な熱中の度合いを含む熱中の度合いの範囲と対応する。所望する熱中度のレベルのスライドスケールを用いて、熱中の度合いが入力される。各々の熱中の度合いが、複数の様態に対するパラメータ設定を付随している。マルチメディアのコンテンツを対応する熱中の度合いと共に描写するためのモードを、ユーザが選択できる。
【００２０】
複数の様態には、オーディオ、ビデオ、及び環境照明のうちの少なくとも一つか、少なくとも二つか、又は三つ全てが含まれる。オーディオ用のパラメータ設定には、音量、テンポ、トレブル並びにバス、ステレオの拡がり、サラウンド、及びダイナミックレンジのうちの少なくとも一つが含まれる。ビデオ用のパラメータ設定には、コントラスト、飽和度、シャープさ、及び画面サイズのうちの少なくとも一つが含まれる。環境照明用のパラメータ設定には、光の色、光の強度、ダイナミックレンジ、飽和度、及び照明の変化の速度のうちの少なくとも一つが含まれる。
【００２１】
描写されたメニューからモードを選択することによってユーザ入力されたリクエストを発生させるために、ユーザは一回の動作を実行する。例えば、ユーザ入力デバイスを介してユーザがメニュー・オプションを選択してもよい。ユーザ入力デバイスはスクロールバーを含み、（熱中の度合いの範囲である）複数のモードの中をスクロールするために、同バーがユーザにより操作されることができる。次にユーザ入力デバイスのボタンを押すことにより、ユーザは所望する熱中の度合いを熱中の度合いの範囲から選択することができよう。代替的には描写デバイス106上にあるタッチスクリーンを介して、ユーザは熱中の度合いを熱中の度合いの範囲から選択することができよう。
【００２２】
第1の入力端子102がユーザ入力されたリクエストを受信して、同リクエストをプロセッサ104へと入力する。ユーザ入力されたリクエストにしたがって、プロセッサ104は複数の様態に対するパラメータ設定を決定する（ステップ206）。
【００２３】
ユーザ入力されたリクエストが低い熱中の度合いに相当する場合、プロセッサ104は複数の様態に対して低い熱中の度合いを提供するであろうパラメータ設定を決定する。オーディオでは、プロセッサ104は減じられた音量、減じられたトレブル並びにバス、減じられたダイナミックンレンジ、及びモノラル・サウンドを決定する。ビデオでは、プロセッサ104は例えば圧縮されたコントラスト、低い色飽和、中間的なシャープさ、及び例えば2Dの描画を決定する。環境照明では、プロセッサ104は例えば弱い色合い、弱い光強度、低いダイナミックレンジ、低い飽和、及び光の低い変化速度を決定する。
【００２４】
ユーザ入力されたリクエストが高い熱中の度合いに相当する場合、プロセッサ104は複数の様態に対して高い熱中の度合いを提供するであろうパラメータ設定を決定する。オーディオでは、プロセッサ104は増大された音量、増大されたトレブル並びにバス、拡大されたダイナミックンレンジ、及びサラウンド・サウンドを決定する。ビデオでは、プロセッサ104は増大されたコントラスト、高い色飽和、押しの強いシャープさ、及び3Dの描画を決定する。環境照明では、プロセッサ104は例えば強い色合い、強い光強度、大きなダイナミックレンジ、高い飽和、及び光の迅速な変化速度を決定する。
【００２５】
プロセッサ104は、複数の様態に対して決定されたパラメータ設定をコントローラ114へと入力する。描写デバイス106がマルチメディアのコンテンツを決定された様態のパラメータ設定にて描写するよう、コントローラ114は出力端子108を介して描写デバイス106を制御する（ステップ208）。
【００２６】
上で説明した方法によって、ユーザはいつでも熱中の度合いを変更できる。加えて、ユーザがパラメータ設定を個別に選択した場合は、プロセッサ104は設定の組み合わせに対する新たなモードを作り出し、これはこれ以降ユーザによる一回の動作で選択されることができる。この態様で、装置100はユーザの好みを学習し、より個人的なモードを作り出すことができる。代替の実施例では、熱中度のレベルが選択されると、個々のパラメータ、例えば音量が手動で変更されるが、しかしこの個別の適応は一時的なものである。即ち次回には「熱中度のレベル」の変更は無視されることであろう。
【００２７】
装置100は更に、日時、ユーザ、及び描写されるマルチメディアのコンテンツのタイプに応じて、熱中の度合いを適応させることができる。例えば、ユーザが映画を見ている場合、熱中度の高い設定がユーザを引き付けるであろうし、一方、夜遅くには、よりリラックスした設定が好まれるかもしれない。
【００２８】
本発明の複数の実施例が添付の図にて例示され、これまでの詳細な説明にて記述されたにもかかわらず、開示された実施例に本発明が限定されることはなく、以下の請求項において述べられているように、本発明の範囲から逸脱することなく多数の改変ができることが理解されよう。
【００２９】
当業者にとっては明らかなように、「手段」とは（別々の又は一体化された回路若しくは電子要素などの）何らかのハードウェア、又は（コンピュータ・プログラム又は同プログラムの一部などの）ソフトウェアを含むことを意味しており、これらの手段は、単独に又は他の機能と連動して、隔離されるか又は他のエレメントと協力して指定された機能の作動時に再生するか、又は指定された機能を再生するよう設計されている。本発明は複数の異なったエレメントを有するハードウェアを用いて実行されることができ、適切にプログラムされたコンピュータを用いて実行されることができる。複数の手段を列挙している装置請求項において、これらの手段の幾つかが全く同一のハードウェアの品目により実施されることができる。「コンピュータ・プログラム」とは、フロッピーディスクなどのコンピュータ可読媒体に記憶されるか、インターネットなどのネットワークを介してダウンロード可能であるか、又は、他の何らかの態様で市販されている何らかのソフトウェア製品を意味すると理解されたい。
【図１】
2013510461.tif 000003
【図２】
2013510461.tif 000004
【国際調査報告】
2013510461.tif 000005
2013510461.tif 000006
2013510461.tif 000007
2013510461.tif 000008